(57)【要約】【課題】合成樹脂製の遊技盤の機械加工の作業量及び加工費を低減する。【解決手段】遊技盤１は、合成樹脂製で少なくとも遊技釘２０が配設される範囲は板厚が均等な遊技盤１であり、金型内で合成樹脂を固化させる成形により表裏面間に貫通する開口（取付穴６ａ、７ａ、１４ａ、１５ａ、アウト穴５）及びアウト穴６１を通った遊技球を落下させるための溝や位置決め用のダボ穴等を形成し、また遊技釘２０を圧入するための下穴２５等も同時に形成するので、取付穴６ａ、７ａ、１４ａ、１５ａ、アウト穴５等を機械加工する必要がなく、加工費も低下する。また、このような開口だけでなく、切欠、凹み、溝等も開口と共に形成することで機械加工の作業量及び加工費を更に低減できる。【選択図】  図２
2007195895.tif 000002
【特許請求の範囲】
【請求項１】
合成樹脂製で少なくとも遊技釘が配設される範囲は板厚が均等な遊技盤を製造するに当たって、
金型内で合成樹脂を固化させる成形により表裏面間に貫通する開口を形成する
ことを特徴とする遊技盤の製造方法。
【請求項２】
請求項１記載の遊技盤の製造方法において、
前記遊技釘を圧入するための下穴を前記成形により形成する
ことを特徴とする遊技盤の製造方法。
【発明の詳細な説明】
【技術分野】
【０００１】
本発明は、弾球遊技機の遊技盤の技術分野に属する。
【背景技術】
【０００２】
パチンコ機等の弾球遊技機の遊技盤には入賞装置や表示装置、装飾用の部品等が取り付けられる。そのため、遊技盤には入賞装置等を取り付けるための貫通口や表示装置の画面を臨ませるための窓等の開口が設けられる。
【０００３】
従来の合板製の遊技盤の場合は、これらの開口をルータ加工によって設けていた。また、押出成形した合成樹脂の板材を機械加工にて切断し、開口等を切削加工する技術も提案されている（一例として特開平１０−１６５５７２号公報）。
【特許文献１】特開平１０−１６５５７２号公報（段落００２７、００２９）
【発明の開示】
【発明が解決しようとする課題】
【０００４】
特許文献１に開示されている遊技盤の製造方法であると、入賞装置や表示装置のための開口を機械加工しなければならないので、機械加工の作業量が多く、それに応じて加工費も高かった。
【課題を解決するための手段】
【０００５】
請求項１記載の遊技盤の製造方法は、合成樹脂製で少なくとも遊技釘が配設される範囲は板厚が均等な遊技盤を製造するに当たって、金型内で合成樹脂を固化させる成形により表裏面間に貫通する開口を形成することを特徴とする。
【０００６】
この製造方法で製造される遊技盤は、合成樹脂製で少なくとも遊技釘が配設される範囲は板厚が均等になっている。
この遊技釘が配設される範囲とは、例えば複数本の遊技釘からなる集合があるとして、その集合の中で外側に位置するもの同士をつなぐ線を輪郭とするような範囲である。従って、このような範囲では遊技釘間の板厚が均一になる。なお、均等にする部分の板厚は、遊技釘の打ち込み深さに応じて（釘の先端部が突出しないように）設定すればよい。
【０００７】
言うまでもないが、遊技釘を圧入するためのボス等を遊技釘に対応させて例えば点々と配置した構成は本発明では排除される。
また、このような範囲が複数箇所になる場合もあるが、その場合は各範囲毎に板厚が均等ということである。勿論、各範囲同士でも板厚を均等にできるし、その方が好ましい。さらには各範囲同士の間も板厚を均等にするのが望ましい。
【０００８】
このように板厚を均等にする範囲には、遊技釘が配設されない部分が含まれても差し支えはなく、例えば遊技領域に対応する部分の板厚を均等にしてもよいし、遊技盤全体の板厚を均等にしてもよい。但し、遊技盤には例えばアウト球を誘導するための溝が設けられるのが普通であり、遊技盤を弾球遊技機本体に取り付けるための凹みが設けられることもあるから、これらの溝等を除いて遊技領域に対応する部分或いは遊技盤全体の板厚を均等にすることになる。
【０００９】
遊技盤を形成する合成樹脂の種類、組成、性状等は特に限定されない。透明であってもよいし不透明であってもよい。
金型内で合成樹脂を固化させる成形方法としては、射出成形、射出圧縮成形等が例示されるが、特に限定はない。
【００１０】
表裏面間に貫通する開口としては、入賞装置、表示装置又は装飾装置を取り付けるための開口、入賞球やアウト球を遊技盤の背面側に誘導するための開口が例示される。また、このような開口だけでなく、遊技盤を弾球遊技機本体に取り付けるための切欠や凹み、賞球用の通路を通すための切欠、遊技球を誘導するための溝等も開口と同様に形成できる。
【００１１】
また、遊技盤には遊技釘が植設されるので、遊技釘を圧入するための下穴も設けておくとよい。この下穴は、請求項２に記載のように、金型内で合成樹脂を固化させる成形により表裏面間に貫通する開口を形成するのと同時に、つまり遊技盤を成形するときに形成することができる。或いは遊技盤の成形後にドリル加工してもよい。
【００１２】
遊技釘を圧入するための下穴は、遊技釘を圧入したときの十分な拘束力が得られるように、また圧入時にひびや割れ等を生じないように、遊技釘の外径に応じて設ける必要がある。一般的には遊技釘の外径をわずかに下回る寸法にするが、具体的な数値は遊技盤を形成する合成樹脂の種類等によって一律にならないので、実験等に基づいて設定すればよい。
【００１３】
この下穴の入口部分は例えば漏斗状にして、遊技釘を圧入する際の案内面にするとよい。また、入口部分を奥側部分よりも大径にしても（２段穴にしても）、同様の案内効果がある。或いは、下穴の入口部分を漏斗状にした上で、その奥側を２段穴にしてもよい。
【００１４】
普通、遊技釘は遊技盤の表面に対して垂直とされず、遊技盤の表面を鉛直にしたときに遊技釘が水平よりも約３〜４度程度上向きになるように仰角が与えられている。従って、下穴は、この仰角に対応した角度で設けるのが望ましい。
【００１５】
また遊技盤にはガイドレールを固定するためのレールピンも打ち付けられるので、このレールピン用の下穴も遊技釘用と同様に成形時に設けるか、成形後にドリル加工で設ければよい。但し、レールピンは遊技盤の表面に対して垂直とされるので、この下穴は遊技盤の表面に対して垂直に設ければよい。
【００１６】
ところで、遊技盤には装飾シート（いわゆるセル）が貼付されるのが一般的である。
透明（少なくとも透光性）の合成樹脂を用いて本発明の遊技盤を製造した場合、セルは貼り付けてもよいし、貼らなくてもよい。また、貼る場合には、裏面に貼ってもよい。
【００１７】
不透明の合成樹脂を用いて本発明の遊技盤を製造した場合、セルを貼り付けるのが望ましいが、遊技盤の表面に装飾画等を印刷してセルの貼付に代えることもできる。
また、セルの貼付に代えて装飾画等を印刷する場合、透明（少なくとも透光性）の合成樹脂を用いて本発明の遊技盤を製造するなら、遊技盤の表面に印刷してもよいし裏面に印刷してもよい。
【００１８】
遊技盤の表面にセルを貼る場合、遊技釘及びレールピンの打ち込み（圧入）は、セルを貼った後に行われるが、周知の通りセルが打ち込み（圧入）を阻害することはない。
【発明の効果】
【００１９】
請求項１記載の遊技盤の製造方法は、例えば射出成形等の成形方法で表裏面間に貫通する開口を形成するので、入賞装置等を取り付けるための開口や入賞球等を背面側に誘導するための開口を機械加工する必要がなく、それに応じて機械加工の作業量が低下し加工費も低下する。また、このような開口だけでなく、切欠、凹み、溝等も開口と共に形成することで機械加工の作業量及び加工費を更に低減できる。
【００２０】
請求項２記載の遊技盤の製造方法は、遊技釘を圧入するための下穴も、遊技盤を成形するときに形成するので機械加工の作業量及び加工費をきわめて少なくできる。
【発明を実施するための最良の形態】
【００２１】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例の遊技盤１はパチンコ機用であり、図１に示すとおり、一部に切欠があるものの、ほぼ長方形をしている。この遊技盤１には略円弧状のガイドレール２ａ、２ｂが取り付けられており、ガイドレール２ａ、２ｂによって囲まれた略円形の区画内が遊技領域４とされる。なお、ガイドレール２ａ、２ｂの先端間の切れ目部分は返しゴム（図示略）にて閉じられる。
【００２２】
遊技領域４の最下部には、遊技領域４を通過してきた遊技球をアウト球として排出するためのアウト穴５が設けられており、ガイドレール２ｂには遊技球をアウト穴５に誘導するための凹み２ｃが設けられている。
【００２３】
そのアウト穴５の上方には、開閉板６１によって開閉されるアタッカー式の大入賞口６が配されている。また、大入賞口６の左右斜め上には、それぞれ普通入賞口７、８が配されている。これら大入賞口６及び普通入賞口７、８は共通のベース板９に組み付けられて入賞口ユニット１０とされ、ビス１１にて遊技盤１に取り付けられている。本実施例では入賞口ユニット１０を採用しているが、大入賞口６、普通入賞口７、８をそれぞれ別々に遊技盤１に取り付けることもできる。
【００２４】
大入賞口６の上方には電動チューリップ式の可変入賞装置１２と始動入賞口１３とを備える複合入賞装置１４が設置されている。
図示するところから明らかなように、可変入賞装置１２が閉鎖状態（図示の状態）にあるときには、始動入賞口１３によって可変入賞装置１２への入賞を阻まれる（可変入賞装置１２へは、開放時しか入賞できない）。この可変入賞装置１２は、その左右に配されている通過口１５に遊技球が進入したことに起因する抽選で当たりになると開放される。
【００２５】
可変入賞装置１２又は始動入賞口１３に入賞した場合には大当たり抽選が行われ、これに応じて遊技盤１の背後に配されている表示装置（全体の図示は省略）の画面１６にて図柄の変動表示がなされる。なお、表示装置は遊技盤１と一体化されているわけでなく（遊技盤１の一部というわけではない）、画面１６を遊技者に対面させる姿勢で遊技盤１の背面部に取り付けられている。
【００２６】
大当たり抽選が当たりであれば、図柄の変動表示に続いて表示装置（画面１６）にて大当たりを示す表示が行われる。その大当たり表示がなされると大当たり遊技の開始となって、大入賞口６が開放される。なお、この表示装置は演出表示用であり、大当たり抽選の結果は図示省略の特別図柄表示装置（例えば７セグメントＬＥＤ）によって表示されるが、表示装置（画面１６）の表示だけでも大当たりか否かを判別可能である。
【００２７】
遊技盤１には画面１６の上辺に対応するようにしてガード庇１７が取り付けられている。ガード庇１７は、上方からの遊技球が画面１６の前方に進入するのを防止するために（遊技球が画面１６の前方を通って視認性を阻害するのを防止するために）設置されている。また、画面１６の下辺に対応するようにして窓下装飾材１８が取り付けられ、窓下装飾材１８の左右には風車１９が配されている。
【００２８】
ガード庇１７及び窓下装飾材１８は、正確にではないが表示装置の画面１６の上下限界を、風車１９は左右限界を遊技者に示す働きもする。
図示するとおり、遊技領域４には多数の遊技釘２０が植設されている。
【００２９】
遊技領域４の中央上部（ガード庇１７の上方）にはいわゆる天釘として、普通入賞口７、８、始動入賞口１３及び通過口１５の直上にはいわゆる命釘として、それぞれ遊技釘２０が配置されている。また、左右の風車１９及び窓下装飾材１８の下方においては、遊技球を複合入賞装置１４又は通過口１５へと誘導するように、列状の遊技釘２０が配置されている。その他、配置密度に差があるものの、適宜に遊技釘２０が配されている。
【００３０】
遊技盤１の本体は透明な合成樹脂（本実施例ではポリカーボネート）の平板であり、例えば射出圧縮成形によって図２に示す形状に製造されている。遊技盤１の本体の板厚は、アウト穴５を通った遊技球を落下させるための溝や位置決め用のダボ穴等（図示は省略）を除いては、全体に均一（本実施例では１９ｍｍ）である。
【００３１】
図２に示すように、遊技盤１には、入賞口ユニット１０、複合入賞装置１４及び通過口１５を取り付けるための取付穴６ａ、７ａ、１４ａ、１５ａやアウト穴５が貫通して設けられている。また、図示は省略しているが、遊技釘２０のための下穴２５、レールピン２１や風車１９の軸釘等のための下穴も設けられている。
【００３２】
この遊技盤１は、合成樹脂製で少なくとも遊技釘２０が配設される範囲は板厚が均等な遊技盤１であり、金型内で合成樹脂を固化させる成形により表裏面間に貫通する開口（取付穴６ａ、７ａ、１４ａ、１５ａ、アウト穴５）及びアウト穴５を通った遊技球を落下させるための溝や位置決め用のダボ穴等を形成し、また同時に遊技釘２０を圧入するための下穴２５等も形成してある。従って、これら取付穴６ａ、７ａ、１４ａ、１５ａ、アウト穴５、下穴２５等を機械加工する必要がなく、機械加工の必要量はきわめて少ない。
【００３３】
図３に示すように、遊技盤１には上述の遊技釘２０が打ち込まれ、またガイドレール２ａ、２ｂを固定するためのレールピン２１が打ち込まれている。なお、図３では、遊技盤１と遊技釘２０、レール２ａ、２ｂ及びレールピン２１の関係を簡明に説明するために、遊技釘２０及びレールピン２１は各１本だけを図示してある。
【００３４】
遊技釘２０は、遊技盤１に設けられた下穴２５に打ち込まれているが、下穴２５は遊技盤１の成形時に設けられたものである。風車１９の軸釘及びレールピン２１も同様に成形時に設けられた下穴に打ち込まれている。
【００３５】
図４に示すように、下穴２５は、遊技盤１の表面に開口する案内穴２５ａと、案内穴２５ａの奥側に連続して形成された圧入穴２５ｂとから構成されている。図示するとおり案内穴２５ａの方が圧入穴２５ｂよりも大径で、下穴２５は２段穴になっている。詳しくは案内穴２５ａの内径は遊技釘２０の軸部分の直径をわずかに上回り、圧入穴２５ｂの内径は遊技釘２０の軸部分の直径をわずかに下回る。従って、遊技釘２０は圧入穴２５ｂに嵌着しており、遊技釘２０は圧入穴２５ｂに確実に拘束されている。
【００３６】
この下穴２５への遊技釘２０の打ち込みは、周知の自動釘打ち機を用いて行われるが、その際に案内穴２５ａが遊技釘２０の先端を案内するので、この打ち込みが円滑かつ正確になる。
【００３７】
また、案内穴２５ａの内径が遊技釘２０の軸の直径をわずかに上回るために、打ち込まれた遊技釘２０と案内穴２５ａの内面との間にはわずかな隙間ができる。
一般に遊技球は、遊技盤１の表面に接触して、或いは遊技盤１の表面からわずかに離れた位置を流下してくるので、遊技釘２０の遊技盤１の表面に近い部分に衝突することになる。そのときに遊技釘２０の根本と遊技盤１との間に上述の案内穴２５ａによる隙間があると、遊技釘２０の根本と遊技盤１との間に隙間が無い（密着している）ときよりも、遊技釘２０が柔軟に弾性変形する。
【００３８】
従来の合板製の遊技盤であれば、木材であるから遊技釘２０の根本部分が強固に拘束されるわけではないから、遊技釘２０の根本と遊技盤１との間に隙間が無くても（密着していても）、遊技釘２０の根本部分（遊技盤の内部にある部分）も若干の弾性変形が可能になっている。つまり、遊技釘２０を棒状のばねと見た場合、その固定支点は遊技盤の表面ではなくて、わずかではあるが遊技盤の内部に位置していると言える。
【００３９】
つまり、下穴２５を案内穴２５ａと圧入穴２５ｂとの２段穴にして遊技釘２０と案内穴２５ａの内面との間に隙間を確保することにより、遊技球が衝突したときの遊技釘２０の挙動（弾性変形、これに伴う弾発等）を、従来の合板製の遊技盤に打ち込まれた遊技釘と類似のものにできる。
【００４０】
また、遊技釘２０の根本と遊技盤１との間に上述のような隙間を設けることにより、遊技球が遊技釘２０衝突したときの衝撃が案内穴２５ａの開口縁に及ぼされないから、そのような衝撃で案内穴２５ａの開口縁がひび割れるのを防止できる。同様に、いわゆる釘調整のためにハンマで遊技釘２０を叩いたときに案内穴２５ａの開口縁がひび割れるのを防止できる。
【００４１】
なお、下穴２５の軸は遊技盤１の表面に対して垂直ではなく、上向きに約４度の角度がつけられている。このため、遊技釘２０は、これに対応する約４度の仰角αが与えられている。
【００４２】
一方、詳細の図示は省略するが、レールピン２１（その下穴）は遊技盤１の表面に対して垂直になっている。また、風車１９の軸釘は遊技釘２０と同様の仰角αが与えられている。
【００４３】
この遊技盤１は、合成樹脂製で少なくとも遊技釘２０が配設される範囲は板厚が均等な遊技盤１であり、金型内で合成樹脂を固化させる成形により表裏面間に貫通する開口（取付穴６ａ、７ａ、１４ａ、１５ａ、アウト穴５）及びアウト穴５を通った遊技球を落下させるための溝や位置決め用のダボ穴等を形成し、また同時に遊技釘２０を圧入するための下穴２５等も形成してある。そのため、成形された遊技盤１には切削などの機械加工を施す必要はほとんどなく、それに応じて加工費も低下する。
［その他］
下穴２５の入口部分を、図５に例示するように面取りして漏斗状の案内面２５ｃにしても、遊技釘２０の根本部分の周囲に隙間ができるので、上述したと同様の効果が得られる。この場合、図５（ａ）のように案内面２５ｃ、案内穴２５ａ、圧入穴２５ｂを備える構成にしてもよいし、図５（ｂ）のように案内面２５ｃと圧入穴２５ｂとの構成にしてもよい。
【００４４】
何れの場合も（実施例でも）、遊技釘２０の根本部分の周囲に形成される隙間の深さ（遊技釘２０の軸方向の寸法）は１ｍｍ以上が望ましい。その上限は限定されないが、これを深くしてもそれに見合って効果が向上するわけではなく、また遊技盤１の板厚との関係で圧入穴２５ｂの長さが制限されるから、自ずと限度はあり、通常は５ｍｍ以下、好ましくは３ｍｍ以下である。
【００４５】
実施例の場合は透明（透光性）の合成樹脂を用いて遊技盤１を製造したので、装飾シート（いわゆるセル）についての説明を省略したが、従来と同様にセルを貼り付けてもよい。その場合、裏面に貼ってもよい。また、セルに代えて遊技盤１の表面又は裏面に印刷を施してもよい。
【００４６】
また、実施例の遊技盤１は透明（透光性）であるので、画面１６を臨ませるための窓は設けていないが、図６に例示するように窓２２を設けて、これに画面１６を臨ませることもできる。
【００４７】
不透明の合成樹脂を用いて本発明の遊技盤を製造した場合、表示装置のための窓が必要になる。また、セルを貼り付けるのが望ましい。
【図面の簡単な説明】
【００４８】
【図１】実施例の遊技盤の正面図。
【図２】実施例の遊技盤本体の正面図。
【図３】実施例の遊技盤を構成する各部を説明するための、一部簡略化した縦断面図。
【図４】実施例における遊技釘と下穴の説明図。
【図５】遊技釘用の下穴の変形例の説明図。
【図６】変形例の遊技盤本体の正面図。
【符号の説明】
【００４９】
１・・・遊技盤、
２ａ、２ｂ・・・ガイドレール、
４・・・遊技領域、
５・・・アウト穴（開口）、
６・・・大入賞口、
６ａ、７ａ、１５ａ・・・取付穴（開口）、
７・・・普通入賞口、
１２・・・可変入賞装置、
１３・・・始動入賞口、
１４・・・複合入賞装置、
１５・・・通過口、
１６・・・画面、
１９・・・風車、
２０・・・遊技釘、
２１・・・レールピン、
２５・・・下穴、
２５ａ・・・案内穴、
２５ｂ・・・圧入穴、
２５ｃ・・・案内面。
【図１】
2007195895.tif 000003
【図２】
2007195895.tif 000004
【図３】
2007195895.tif 000005
【図４】
2007195895.tif 000006
【図５】
2007195895.tif 000007
【図６】
2007195895.tif 000008